(57)【要約】【課題】上着の着用が容易であり、他の用途でも、使用者の動作を補助させることができる操作支援器具を提供する。【解決手段】操作支援器具１００は、棒状の柄部１１と柄部１１の先端部１１ｂから互いが離間する方向に延びた一対の腕部１２，１３とを有する器具本体１０と、器具本体１０の先端部に取り付けられたクリップ部１４とを備えている。一対の腕部１２，１３は、一方の腕部１２の先端部１２ｂが柄部１１の基端部１１ａ側に鈍角となる角度で曲がった状態であり、他方の腕部１３の先端部１３ｂが柄部１１の基端部１１ａとは反対となる側に鈍角となる角度で曲がった状態である。また、クリップ部１４は、クリップ本体１４ａと、クリップ本体１４ａを器具本体１０に繋ぐための紐状部材１４ｂとを備えている。【選択図】図１
2018064655.tif 000002
【特許請求の範囲】
【請求項１】
棒状の柄部と前記柄部の先端部から互いが離間する方向に延びた一対の腕部とを有する器具本体と、
前記器具本体の先端部に取り付けられたクリップ部とを備え、
前記一対の腕部は、一方の腕部の先端部が前記柄部の基端部側に鈍角となる角度で曲がった状態であり、他方の腕部の先端部が前記柄部の基端部とは反対となる側に鈍角となる角度で曲がった状態であり、
前記クリップ部は、クリップ本体と、前記クリップ本体を前記器具本体に繋ぐための紐状部材とを備えた操作支援器具。
【請求項２】
前記クリップ部は、前記腕部に取り付けられた請求項１記載の操作支援器具。
【請求項３】
前記クリップ部は、前記器具本体の先端部に、一対設けられた請求項１または２記載の操作支援器具。
【発明の詳細な説明】
【技術分野】
【０００１】
本発明は、衣服を着るときや、靴下を履くとき、離れた場所にある物を取るときの動作を支援する操作支援器具に関するものである。
【背景技術】
【０００２】
身体の一部の動作に支障があると、衣服や靴下を着用することが一人では難しい場合がある。衣服や靴下の着用を助ける器具があると、手助けを必要とせずに着用できる。このような器具として、特許文献１に記載されたものが知られている。
特許文献１に記載の「靴下、ズボン等の着脱補助用具」は、握柄にアームを付け、アームの先端部に取り付けたクリップに保護カバーが設けられたものである。
【先行技術文献】
【特許文献】
【０００３】
【特許文献１】特開２００７−２０９７２３号公報
【発明の概要】
【発明が解決しようとする課題】
【０００４】
しかし、特許文献１に記載の「靴下、ズボン等の着脱補助用具」は、靴下、ズボン用ではあるが、クリップに上着を取り付けて、上着を着用しようとすると、上書を肩まで掛けることができても、萎んだままの袖では腕が通し難い。従って、特許文献１に記載の靴下、ズボン等の着脱補助用具は、上着の着用には向かない。
【０００５】
また、離れたところにある物を取るときに、手を延ばしても届かず、体の移動が難しいときには、何か棒のようなもので、取りたい物を引き寄せることがあるが、アームの先端が、クリップをアームから抜け難くするために、鋭角に曲がっているため、このようなアームでは、物を引き寄せることも難しい。
【０００６】
そこで本発明は、上着の着用が容易であり、他の用途でも、使用者の動作を補助させることができる操作支援器具を提供することを目的とする。
【課題を解決するための手段】
【０００７】
本発明の操作支援器具は、棒状の柄部と前記柄部の先端部から互いが離間する方向に延びた一対の腕部とを有する器具本体と、前記器具本体の先端部に取り付けられたクリップ部とを備え、前記一対の腕部は、一方の先端部が前記柄部の基端部側に鈍角となる角度で曲がった状態であり、他方の先端部が前記柄部の基端部とは反対となる側に鈍角となる角度で曲がった状態であり、前記クリップ部は、クリップ本体と、前記クリップ本体を前記器具本体に繋ぐための紐状部材とを備えたことを特徴とする。
【０００８】
本発明の操作支援器具によれば、上着を着るときに、上着にクリップ部のクリップ本体を取り付けて柄部を回せば、紐状部材とクリップ本体とによって吊り下がった上着が大きく回転して容易に上着を背中に回して肩に掛けることができる。肩に上着が掛かれば、一方の腕部で袖を拡げたり、他方の腕部で上着を引いたりすることで、着た上着を整えることができる。また、手の届かいないものを取るときにも柄部の先端部に形成された腕部を活用することができる。
【０００９】
前記クリップ部を、前記腕部に取り付けることができる。クリップ部が腕部に取り付けられていると、柄部の先端部に取り付けられている場合と比較して、腕部の長さ分だけ大きく上着を回すことができる。そのため、クリップ部は、腕部に取り付けられているのが望ましい。
【００１０】
前記クリップ部は、前記器具本体の先端部に、一対設けられていると、靴下やズボンを履くときに、靴下の口ゴム部分や、ズボンのウエスト部分の左右の両側に、一対のクリップ本体を取り付ければ、均等に靴下やズボンを引き上げることができる。
【発明の効果】
【００１１】
本発明の操作支援器具は、上着を着たり、物を動かしたりすることが、容易にできるため、上着の着用が容易であり、他の用途でも、使用者の動作を補助させることができる。
【図面の簡単な説明】
【００１２】
【図１】本発明の実施の形態に係る操作支援器具を示す図である。
【図２】図１に示す操作支援器具の使用状態を説明するための図であり、上着を着る操作を説明するための図である。
【図３】図２に引き続いて、図１に示す操作支援器具により、上着を着る操作を説明するための図である。
【図４】図３に引き続いて、図１に示す操作支援器具により、上着を着る操作を説明するための図である。
【図５】図１に示す操作支援器具の使用状態を説明するための図であり、上着を脱ぐ操作を説明するための図である。
【発明を実施するための形態】
【００１３】
本発明の実施の形態に係る操作支援器具を図面に基づいて説明する。
図１に示すように、操作支援器具１００は、棒状の柄部１１と、柄部１１の先端部から、互いが離間する方向に延びた一対の腕部１２，１３とを有する器具本体１０と、器具本体１０の先端部１０ａに取り付けられたクリップ部１４とを備えている。
【００１４】
柄部１１は、棒状部材により形成され、基端部１１ａが使用者によって把持されたり、先端部１１ｂが補助的に把持されたりして操作される。本実施の形態では、柄部１１は約３０ｃｍの長さである。
【００１５】
腕部１２，１３は、Ｌ字状の基端部１２ａ，１３ａが、柄部１１に固定され、柄部１１に対してそれぞれが直角方向に延びている。腕部１２，１３は、柄部１１より短い長さに形成されている。本実施の形態では、腕部１２，１３は、約５ｃｍである。
腕部１２，１３は、本実施の形態では、チューブ状のカバー付きの針金により形成されているが、全体の形状は、一方の腕部１２の先端部１２ｂが柄部１１の基端部１１ａ側に鈍角となる角度で曲がり、他方の腕部１３の先端部１３ｂが、柄部１１の基端部１１ａとは反対となる側に鈍角となる角度で曲がっている。
【００１６】
腕部１２，１３の先端部１２ｂ，１３ｂの曲がり度合いは、例えば、１２０度から１５０度とすることができる。
腕部１２，１３は、カバー付きの針金により形成されているため、基端部１２ａ，１３ａから先端部１２ｂ，１３ｂで折り返して基端部１２ａ，１３ａに戻るように形成されている。腕部１２，１３は、板材により形成してもよい。
【００１７】
本実施の形態では、腕部１２，１３は、柄部１１の先端部１１ｂに、基端部１２ａ，１３ａをテープにより巻き付け固定しており、テープは布製のカバーにより覆われている。
【００１８】
クリップ部１４は、衣類に取り付けるクリップ本体１４ａと、クリップ本体１４ａを器具本体１０の先端部１０ａに繋ぐための紐状部材１４ｂとを備えている。
クリップ部１４は、本実施の形態では、腕部１３に取り付けられている。
クリップ本体１４ａは、挟み込む部分と、紐状部材１４ｂが接続された取付部分とが、直角の位置にあると開放状態となり、まっすぐの位置にあると閉鎖状態となるものである。紐状部材１４ｂは、クリップ本体１４ａがしなやかに移動できるように、柔軟であることが望ましい。本実施の形態では、紐状部材１４ｂとして、意匠性を高めるために組紐を使用している。紐状部材１４ｂの長さは、約８ｃｍから約１０ｃｍ程度で、腕部１２，１３より長く形成されている。
【００１９】
以上のように構成された本発明の実施の形態に係る操作支援器具１００の使用状態を図面に基づいて説明する。本実施の形態では、使用者が衣服の一例である上着を着る操作を、操作支援器具１００が支援することを例に説明する。
まず、上着にクリップ部１４を取り付ける。上着にクリップ部１４を取り付けるときには、最初に袖を通す側とは反対側の前見頃の前端にクリップ部１４を取り付ける。例えば、図２に示すように、最初に左腕を左袖２１に通しておく場合には、右側の前見頃２２の前端２２ａにクリップ部１４を取り付ける。
【００２０】
次に、上着２０の左袖２１に使用者の左腕を通した状態で、右手で操作支援器具１００の柄部１１の基端部１１ａを持ち、柄部１１を左側から頭上を通り右側に、釣り竿を振り回すように回転させる。
そうすることで、柄部１１の先端部１１ｂから、クリップ部１４のクリップ本体１４ａと紐状部材１４ｂとによって吊り下がる上着２０が引っ張られて、使用者の背中を、左側から右側に回り込むように回転して、図３に示すように右側の前見頃２２が使用者の右側に位置する。
【００２１】
クリップ部１４は、クリップ本体１４ａが紐状部材１４ｂを介して腕部１３に取り付けられているため、柄部１１を小さく振っても、上着２０を大きく振り回して使用者の反対側まで回すことができる。
【００２２】
クリップ部１４が右側の前見頃２２に取り付けられ、左腕は左袖２１を通しているため、上着２０は、右側の前見頃２２が拡がりながら回転するので、柄部１１を左側から頭上を通り右側に回転させるだけで、上着２０を使用者の肩に掛けた状態とすることができる。
【００２３】
上着２０の回転が不足して、使用者の右肩に上着２０が掛からなかったときには、使用者の右側に位置する柄部１１を使用者の前方で左側に引っ張れる。そうすれば、クリップ部１４により右側の前見頃２２が繋がっているため、背中まで回った上着２０の右側の前見頃２２を簡単に使用者の右側まで引っ張り出すことができる。
【００２４】
次に、使用者は、肩に掛かった上着２０の右袖２３に右腕を通す。このとき、右袖２３が萎んで拡がっていないため、右腕が通し難い場合には、先端部１３ｂが曲がった腕部１３（図１参照）で萎んだ右袖２３の内側を押し進める。
腕部１３の先端部１３ｂが柄部１１の基端部１１ａとは反対となる側に鈍角となる角度で曲がっているため、腕部１３は、右袖２３の内側をすくい上げるようにして、右袖２３の内側に引っ掛かることなく押し進めることができる。
また、腕部１２が腕部１３の突出方向と反対側に突出しているため、すくい上げた右袖２３を幅広く押し上げる。このとき、腕部１３の先端部１３ｂが柄部１１の基端部１１ａ側に鈍角となる角度で曲がっているため、右袖２３の内側に引っ掛かることなく押し拡げることができる。
従って、使用者は、拡がった右袖２３に右腕をスムーズに通すことができる。
【００２５】
使用者は、上着２０に両腕を通すと、上着２０の右肩部分２５と左肩部分２６とを拡げて皺を延ばす。このとき、右袖２３を拡げたときと同様に、図４に示すように、腕部１２，１３（図１参照）により、右肩部分２５または左肩部分２６の内側から押し拡げたり、引いたり、または、柄部１１の先端部１１ｂを持って、柄部１１の基端部１１ａを肩部分に差し込み、押し上げたりすることで、肩部分を整えることができる。
そして、最後に、上着の裾２４を整え、クリップ部１４を上着２０から外せば、上着２０の着用を完了させることができる。
【００２６】
上着２０を脱ぐ場合には、上着２０の右肩部分２５または左肩部分２６に、腕部１３を差し込み押し上げる。そうすることで、右肩部分２５または左肩部分２６が使用者の肩から外れるので、それぞれの腕を右袖２３と左袖から外せば、容易に脱ぐことができる。
【００２７】
図５に示すように、上着２０の左肩部分２６を使用者の肩から外すときでも、腕部１３の先端部１３ｂが、柄部１１の基端部１１ａとは反対となる側に鈍角となる角度で曲がっているため、腕部１３の先端部１３ｂが左肩部分２６を押し上げ、左肩部分２６が腕部１３から逃げることなく、左肩部分２６を肩から外すことができる。
【００２８】
上記操作は、使用者が上着２０を着るときの状態を説明したが、例えば、手の届かない物を取るときでも、操作支援器具１００を使用することができる。
例えば、腕部１２の先端部１２ｂが、柄部１１の基端部１１ａ側に鈍角となる角度で曲がっているため、腕部１２の先端部１２ｂを取る物に引っ掛け引き寄せれば、離れたところにある物でも、簡単に取り寄せることができる。また、手の届かない位置にある物を遠ざけるときには、先端部１３ｂが、柄部１１の基端部１１ａと反対となる側に鈍角となる角度で曲がった腕部１３を活用する。そうすることで、曲がった先端部１３ｂを物に下に差し込んで移動させることができるため、少し離れた位置にある物でも簡単に動かすことができる。
【００２９】
このように本実施の形態に係る操作支援器具１００は、上着２０を着るときに、上着２０にクリップ部１４のクリップ本体１４ａを取り付けて柄部１１を回すことで、紐状部材１４ｂとクリップ本体１４ａとによって吊り下がった上着２０が大きく回転して容易に衣服を背中に回して肩に掛けることができる。肩に上着２０が掛かれば、一方の腕部１２で袖を拡げたり、他方の腕部１３で衣服を引いたりすることで、着た上着２０を整えることができる。また、手の届かいないものを取るときにも柄部１１の先端部１１ｂに形成された腕部１２，１３を活用することができる。
また、靴下やズボンでも、クリップ部１４を靴下やズボンに取り付け、引き上げれば、使用者は靴下やズボンを履くことができる。
従って、操作支援器具１００は、上着の着用が容易であり、他の用途でも、動作を補助させることができる。
【００３０】
なお、本実施の形態では、１本のクリップ部１４が、腕部１３に取り付けられているが、腕部１２にも取り付けられていてもよい。
クリップ部１４が、一対の腕部１２，１３の両方に設けられていることで、靴下やズボンを履くときに、靴下の口ゴム部分や、ズボンのウエスト部分の左右の両側に、一対のクリップ本体１４ａを取り付ければ、均等に靴下やズボンを引き上げることができる。従って、クリップ部１４が１本のときより、２本備えている方が、靴下やズボンを履く操作が容易であり、かつ迅速に履くことができる。
【００３１】
本実施の形態では、クリップ部１４が腕部１３に取り付けられているが、腕部１２に取り付けられていてもよい。また、柄部１１の先端部に取り付けられていてもよい。しかし、クリップ部１４が腕部１２，１３に取り付けられていると、柄部１１の先端部に取り付けられている場合と比較して、腕部１２，１３の長さ分だけ大きく上着２０を回すことができる。そのため、クリップ部１４は、腕部１２，１３に取り付けられているのが望ましい。
【００３２】
なお、クリップ部１４のクリップ本体１４ａは、挟み込む部分と、紐状部材１４ｂが接続された取付部分とが、直角の位置にあると開放状態となり、まっすぐの位置にあると閉鎖状態となるものとしていた。しかし、衣類や靴下などの衣料の生地の厚みに応じて変更したり、手に力が入り難い状況などに応じて変更したりすることが可能である。例えば、ズボンなどのウエスト部分を掴むときには、布地が厚いためクリップ本体１４ａでは挟み難い。そうした場合には、クリップ本体は、洗濯ばさみのような、少し大き目のばね式のものとすることができる。また、手に力の入り難い症状を有する使用者であれば、布地を挟ませた後にレバー操作にして挟み込みを固定するようなクリップとしたりしてもよい。
【産業上の利用可能性】
【００３３】
本発明の操作支援器具は、体の動作に支障がある者が衣服を着たり、物を取ったりするときに好適である。
【符号の説明】
【００３４】
１００  操作支援器具
１０  器具本体
１０ａ  先端部
１１  柄部
１１ａ  基端部
１１ｂ  先端部
１２，１３  腕部
１２ａ，１３ａ  基端部
１２ｂ，１３ｂ  先端部
１４  クリップ部
１４ａ  クリップ本体
１４ｂ  紐状部材
２０  上着
２１  左袖
２２  前見頃
２２ａ  前端
２３  右袖
２４  裾
２５  右肩部分
２６  左肩部分
【図１】
2018064655.tif 000003
【図２】
2018064655.tif 000004
【図３】
2018064655.tif 000005
【図４】
2018064655.tif 000006
【図５】
2018064655.tif 000007